(57)【要約】【課題】カタログ束からカタログを一枚ずつ容易に取り出せるようにする。【解決手段】四角状のカタログ４１を、その一辺方向に向かって谷折りと山折りを順に偶数回繰り返して、前端片４４を折り目線よりも下側に位置させて折り畳み、前列のカタログ４１ａの後端片４５の下端を、後列のカタログ４１ｂの前端片４４の背面に差し込んでカタログ束４０を形成し、このカタログ束４０を、各カタログ４１がカタログ取り出し口２４に対面する姿勢でケーシング１１に収納し、カタログ取り出し口２４の上下規制部２５、２６により、最前列のカタログ４１ａの上下端部を支持させる。【選択図】図１
2007007275.tif 000002
【特許請求の範囲】
【請求項１】
複数枚の四角状カタログ（４１）を斜めに立った状態に重ねて陳列配布する方法において、
上記カタログ（４１）を、その一辺方向に向かって谷折りと山折りを順に偶数回繰り返してジグザグ状に折り畳むとともに、上端辺を折り目線より下側に位置させ、その折り畳んだカタログ（４１）を、前記上端辺が上向きになるように同一軸上に重ねて陳列し、最前列のカタログ（４１ａ）を取り出すことにより、その後列のカタログ（４１ｂ）を前側に引き出すようにしたことを特徴とするカタログの陳列配布方法。
【請求項２】
前後に重なるカタログ（４１）のその前列のカタログ（４１）の下端辺が後列のカタログ（４１）の上端辺の内側に差し込まれたことを特徴とする請求項１に記載のカタログの陳列配布方法。
【請求項３】
請求項１または２に記載のカタログの陳列配布方法をなすためのカタログ陳列装置であって、
ケーシング（１１）内に上記カタログ（４１）を重ねたカタログ束（４０）を上記斜めに立った状態で収納するとともに、前記ケーシング（１１）の前記カタログ束（４０）の前面にカタログ取り出し口（２４）が形成され、そのカタログ取り出し口（２４）の左右方向の幅は、前記カタログ（４１）の左右方向の幅よりも広くなっており、
上記カタログ取り出し口（２４）の上端辺に上記カタログ束（４０）の上端部を上記カタログ（４１）の上端辺より上側で受け止める上規制部（２５）が設けられ、前記カタログ取り出し口（２４）の下端辺には前記カタログ束（４０）の下端部を受け止める下規制部（２６）が設けられていることを特徴とするカタログ陳列装置。
【請求項４】
上記カタログ取り出し口（２４）の上規制部（２５）を弾性上押さえ部材（２７）で構成し、この弾性上押さえ部材（２７）の下端縁が最前列のカタログ（４１ａ）の前端辺（４４）の背面に位置することを特徴とする請求項３に記載のカタログ陳列装置。
【請求項５】
上記カタログ取り出し口（２４）の下規制部（２６）を弾性下押さえ部材（１８）で構成したことを特徴とする請求項３又は４に記載のカタログ陳列装置。
【請求項６】
上記ケーシング（１１）に、上記カタログ束（４０）を上記カタログ取り出し口（２４）に向けて付勢する付勢手段を設けたことを特徴とする請求項３から５のいずれかに記載のカタログ陳列装置。
【請求項７】
上記付勢手段が、上記カタログ束（４０）の収納部（２９）の底面が上記カタログ取り出し口（２４）側が低くなるように形成された傾斜面と、前記カタログ束（４０）の後端面に押し当てられる錘（３１）とから構成されることを特徴とする請求項３から６のいずれかに記載のカタログ陳列装置。
【請求項８】
上記カタログ束（４０）の収納部（２９）を上記ケーシング（１１）後方から差し込み可能なカセット（２０）として、このカセット（２０）の前面に上記カタログ取り出し口（２４）を設けたことを特徴とする請求項３から７のいずれかに記載のカタログ陳列装置。
【発明の詳細な説明】
【技術分野】
【０００１】
この発明は、カタログ（パンフレットなどのカタログに類するものを含む）を収納し、このカタログを取り出せるカタログ陳列配布方法及び陳列配布具に関するものである。
【背景技術】
【０００２】
従来から、商店や旅行代理店あるいは銀行などのカウンターや受付には、商品、旅行、入会案内などのカタログなどを収納したカタログ陳列装置が置かれ、顧客が自由にこのカタログなどを取り出せるようになっている（特許文献１  参照）。
【特許文献１】特開平１１−１２７９８６号公報
【０００３】
そのカタログ陳列装置５１は、図６に示すように、背面板５２が前面板５３よりも長く形成された上部に開口部５４を有する紙製の箱体５５と、前記背面板５２に設けられた前記箱体５５を斜めに支える支持脚５６と、この箱体５５の内部に設けられたカタログ収納部５７とから構成される。
【０００４】
そのカタログ収納部５７にカタログを多数枚重ねたカタログ束を入れると、上記箱体５５が支持脚５６により傾いた状態で支持されているため、このカタログ束は上記背面板５２に持たれかかった状態で収納される。このカタログ陳列装置５１は所定の場所に設置され、顧客はカタログを開口部５４から自由に取り出すことができる。
【発明の開示】
【発明が解決しようとする課題】
【０００５】
上記カタログ陳列装置５１は、カタログ束が上記背面板５２に持たれかかった状態で収納され、このカタログ束の各カタログの上端が揃った状態となる。このため、カタログ束からカタログを取り出すには、カタログを一枚ずつその上端をめくって取り出す必要があり、取り出すことが煩わしいという問題があった。
また、カタログ束の上部がカタログ収納部５７から露出した状態で収納されているため、一度に複数枚のカタログを取り出すことができて、経済性が良くないという問題もあった。
【０００６】
そこで、この発明は、カタログを一枚ずつ容易に取り出せるようにすることを課題とする。
【課題を解決するための手段】
【０００７】
上記の課題を解決するために、この発明は、まず、そのカタログを重ねた束の陳列状態を、各カタログをその一辺方向に向かって谷折りと山折りを順に偶数回繰り返してジグザグ状に折り畳むとともに、その上端辺を折り目線よりも下側に位置させ、その折り畳んだカタログを、上端辺が上方となるように同一軸上に重ね、その前列のカタログの下端辺を後列のカタログの上端辺の内側に差し込んだ陳列状態としたのである。
【０００８】
この陳列状態は、最前列のカタログはその上端辺がその折り畳まれたカタログの上端部より下側に位置し、通常、少し浮いた状態となっているため、その上端辺を容易に掴むことができる。その上端辺を掴んで、最前列のカタログを取り出すと、その最前列のカタログの下端辺とともに後列のカタログの前端辺が前方に引き出され、この後列の折り畳まれたカタログの上辺が上記上規制部の裏面に支持され、かつその後列のカタログの下辺が上記下規制部の裏面に支持されるため、最前列のカタログのみを取り出すことができる。
【０００９】
また、この方法をなす陳列配布装置に関する発明としては、ケーシング内に上記カタログを重ねたカタログ束を斜めに立った状態で収納するとともに、このケーシングの前記カタログ束の前面にカタログ取り出し口が形成され、前記カタログ取り出し口の上下規制部により、カタログ束の上下端部を支持させた構成としたのである。
【００１０】
具体的には、請求項１または２に記載のカタログの陳列配布方法をなすためのカタログ陳列装置であって、ケーシング内に前記カタログを重ねたカタログ束を上記斜めに立った状態で収納するとともに、前記ケーシングの前記カタログ束の前面にカタログ取り出し口が形成され、そのカタログ取り出し口の左右方向の幅は、前記カタログの左右方向の幅よりも広くなっており、前記カタログ取り出し口の上端辺に前記カタログ束の上端部を前記カタログの上端辺より上側で受け止める上規制部が設けられ、前記カタログ取り出し口の下端辺には前記カタログ束の下端部を受け止める下規制部が設けられている構成を採用したのである。
【００１１】
この構成において、上記カタログ取り出し口の上規制部を弾性上押さえ部材で構成し、この弾性上押さえ部材の下端縁が最前列のカタログの上端辺の背面に位置する構成を採用することができる。このようにすると、最前列のカタログを取り出す際に、この弾性上押さえ部材が前方にしなるように弾性変形して、前記カタログ取り出し口の開口部が広くなるため、最前列のカタログが取り出し易くなる。最前列のカタログが取り出されると、変形した弾性上規制部がその弾性によりもとの状態に戻り、これが後列のカタログの上端部を後ろ向きに押し当てるため、一度に複数のカタログが取り出されるのを防止することができる。
【００１２】
また、上記カタログ取り出し口の下規制部を弾性下押さえ部材で構成すると、この弾性下押さえ部材が最前列のカタログの前端片を支持して、この前端片が前方に垂れ下がるのを防ぐことができる。また、この弾性下押さえ部材が、上記弾性上押さえ部材と同様の作用をするため、一度に複数のカタログが取り出されるのを防止することができる。
【００１３】
さらに、上記ケーシングに、上記カタログ束を上記カタログ取り出し口に向けて付勢する付勢手段を設けることができる。これにより、前記カタログ束の最前列のカタログをカタログ取り出し口に常に対面するように押し当てることができる。
【００１４】
上記付勢手段は、バネ等の周知のものを採用できるが、例えば、上記カタログ束収納部の底面が上記カタログ取り出し口側が低くなるように形成された傾斜面と、上記カタログ束の後端面に押し当てられる錘とから構成すると、前記錘がその自重により前記傾斜面に沿って前方に移動し、この錘が前記カタログ束の後端片を押し当てて、前記カタログ束の最前列のカタログをカタログ取り出し口に常に対面させることができる。
【００１５】
また、上記カタログ束の収納部を上記ケーシング後方から差し込み可能なカセットとして、このカセットの前面に上記カタログ取り出し口を設けた構成にすると、前記カセットをケーシングの後方から取り出すことができ、このカセットを抜き出して、カタログ束を補充したり、内容の異なるカタログのカタログ束に変更したりすることができる。
【発明の効果】
【００１６】
この発明は、以上のように構成したので、カタログを容易に一枚ずつ取り出すことができる。
【発明を実施するための最良の形態】
【００１７】
以下、この発明の実施形態を添付図面に基づいて説明する。
この発明の実施形態のカタログ陳列装置を図１から図４に示す。この実施形態のカタログ陳列装置は、図１から図４に示すように、箱形のケーシング１１と、このケーシング１１の内部に挿入されるカセット２０と、このカセット２０に収納されるカタログ４１を多数束ねたカタログ束４０とから構成される。
【００１８】
上記ケーシング１１は、図１に示すように、左右の側面板１２、１２と、上面板１３と、底面板１４とからなり、左右の側面板１２、１２の間の上部に上面板１３が前方に向かって下向きに傾斜して取り付けられ、左右の側面板１２、１２の間の下端に底面板１４が取り付けられたものである。
【００１９】
上記上面板１３および底面板１４は、左右の側面板１２、１２の前端部よりも前方に延びて取り付けられる。この上面板１３により、ケーシング１１の前面に設けられた後述する開口部１６に、雨や埃などが入るのを防ぐことができる。この底面板１４の上方の左右の側面板１２、１２の間に、後述するカセット２０を載せるためのカセット載せ板１５が前方に向かって下向きに傾斜し、その前端部を左右の側面板１２、１２の前端部よりも前方に突き出して取り付けられる。
【００２０】
上記左右の側面板１２、１２間の上面板１３上に、収納したカタログ４１を掲示する掲示板３３が取り付けられる。
【００２１】
上記左右の側面板１２、１２、上面板１３及びカセット載せ板１５のそれぞれの前端部で囲まれたケーシング１１の前面に開口部１６が形成される。この開口部１６の左右側端部にストッパー１７が設けられ、後述するカセット２０がカセット載せ板１５の傾斜に沿って移動し、開口部１６からすべり出すのを防ぐ。
【００２２】
上記カセット載せ板１５の前端部に弾性を有するシート状の弾性下押さえ部材１８が前後方向に揺動可能に取り付けられる。この弾性下押さえ部材１８は、開口部１６の開口部分の下部を覆い、その左右両端部がストッパー１７に接するものである。この弾性下押さえ部材１８が、後述する最前列のカタログ４１ａの前端片４４を支持して、この前端片４４が前方に垂れ下がるのを防ぐ。
【００２３】
図２に示すように、上記ケーシング１１の開口部１６の内側、すなわち、左右の側面板１２、１２、上面板１３およびカセット載せ板１５に囲まれた部分には、カセット２０を差し込むカセット収納部１９が形成される。
【００２４】
上記カセット収納部１９は、後方が開放しているため、カセット２０を後ろから容易に抜き出すことができ、抜き出したカセット２０のカタログ束４０を補充したり、記載内容の異なるカタログのカタログ束４０に変更したりすることができる。
【００２５】
このカセット２０は、図２に示すように、左右の側面板２１、２１と、底面板２２と、前面板２３とからなり、底面板２２上に左右の前記側面板２１、２１が取り付けられ、この各側面板２１の前端部に、前面板２３が前方に向かって下向きに傾斜して取り付けられたものである。
【００２６】
上記前面板２３の中央には、上記カセット２０が上記カセット収納部１９に差し込まれた際に、上記ケーシング１１の開口部１６と対面するカタログ取り出し口２４が形成される。
【００２７】
上記カタログ取り出し口２４は、その左右方向の幅が、上記カタログ束４０の左右方向の幅よりも広く形成される。これにより、後述する最前列のカタログ４１ａを取り出す際に、これが前記カタログ取り出し口２４の左右両内端部に当たらないため、これをスムーズに取り出すことができる。
【００２８】
上記カタログ取り出し口２４の上端部には、上記カタログ束４０の上端部を受け止める上規制部２５が設けられ、後述する最前列のカタログ４１ａを取り出す際には、後列のカタログ４１ｂの上端部を受け止める。また、前記カタログ取り出し口２４の下端部には、下規制部２６が設けられ、前記カタログ束４０の下端部を受け止め、このカタログ束４０がカタログ取り出し口２４から抜け出るのを防ぐ。
【００２９】
上記上規制部２５には、弾性を有するシート状の弾性上押さえ部材２７が前後方向に揺動可能に取り付けられる。この弾性上押さえ部材２７は、前記カタログ取り出し口２４の上半分を覆うものであり、その下端には前方に突出した支持部２８が設けられる。これにより、最前列のカタログを取り出す際に、この弾性上押さえ部材２７が前方にしなるように弾性変形して、前記カタログ取り出し口２４の開口部が広くなるため、最前列のカタログ４１ａが取り出し易くなる。
【００３０】
この最前列のカタログ４１ａが取り出されると、変形した弾性上押さえ部材２７がその弾性によりもとの状態に戻り、これが後列のカタログ４１ｂの上端部を後ろ向きに押し当てるため、一度に複数のカタログ４１が取り出されるのを防止することができる。
【００３１】
また、上記支持部２８が最前列のカタログ４１ａの前端片４４の裏面を支持することにより、このカタログ４１ａの前端片の上端部がつまみ易くなる。
【００３２】
図３に示すように、上記カセット２０の内部、すなわち、上記左右の側面板２１、２１、底面板２２および前面板２３に囲まれた部分には、上記カタログ束４０を収納するカタログ束収納部２９が設けられる。
【００３３】
上記カタログ束収納部２９の内部に、上記カタログ束４０をカタログ取り出し口２４に向けて付勢する付勢手段として、押し当て部材３０および錘３１が配置される。
【００３４】
上記押し当て部材３０は、カセット２０の前面板２３と平行な押し当て板３２を有するものであり、錘３１を設けたものである。ケーシング１１のカセット載せ板１５が前方に向かって下向きに傾斜しているので、カセット２０をカセット収納部１９に収納した際に、押し当て部材３０が、錘３１の重さによりカセット２０の底面板２２に沿って前方に移動し、その押し当て板３２がカタログ束４０の後端片４５を押し当てる。このため、後述する最前列のカタログ４１ａをカタログ取り出し口２４側に常に対面させることができる。
【００３５】
なお、上記付勢手段は、上記の場合に限られるものではなく、カタログ束４０の後背片４５を前方に付勢するもの、例えば、バネ等の周知のものを採用することができる。
【００３６】
上記カタログ束収納部２９に収納されるカタログ束４０は、所定の折り曲げ方で折り畳まれた多数枚の四角状のカタログ４１が組み合わされたものである。この各カタログ４１は、図４（ａ）（ｂ）に示すように、その短辺に平行な谷折り目４２および山折り目４３で３つ折りされ、前記谷折り目４２から上向きに折り返された前端片４４と、前記山折り目４３から下向きに折り返された後端片４５と、この前端片４４と後端片４５との間に位置する中央部４６とが形成されるものである。
【００３７】
上記前端片４４および後端片４５は、その幅Ｗ２、Ｗ３が上記中央部４６の幅Ｗ１よりも短く形成され、上記カタログ４１が折り畳まれると、前端片４４の上端辺がカタログ４１の山折り目４３より下側に位置し、前記中央部４６の幅Ｗ１が折り畳まれたカタログ４１の幅Ｗ１となる（図４（ｃ）参照）。
【００３８】
上記各カタログ４１が、図４（ｂ）に示すように、前列のカタログ４１ａの後端片４５の下端辺を後列のカタログ４１ｂの前端片４４の背面に順次差し込んで、その左右端を揃えて同一軸上に多数重ねた、上下方向の幅がＷ１となるカタログ束４０が形成される（同図（ｃ）参照）。
【００３９】
この実施形態のカタログ陳列装置は、以上のように構成され、次にその作用を説明する。
まず、図５（ａ）に示すように、上記ケーシング１１のカセット収納部１９に上記カタログ束４０を収納した上記カセット２０を挿入し、カタログ束４０の最前列のカタログ４１ａの前端片４４を、カセット２０の弾性上押さえ部材２７の前方に引き出す。このとき、最前列のカタログ４１ａの前端片４４が、前記ケーシング１１の弾性下押さえ部材１８により支持された状態となる。
【００４０】
次に、上記最前列のカタログ４１ａの前端片４４を指でつまんで、前方に引き出すと（図５（ｂ）参照）、この前端片４４により弾性下押さえ部材１８の先端部が前向きに折り曲げられるとともに、この最前列のカタログ４１ａの中央部４６によりカセット２０の弾性上押さえ部材２５の支持部２８が前向きに折り曲げられる。
【００４１】
さらに、最前列のカタログ４１ａの前端片４４を引き出し、最前列のカタログ４１ａの谷折り目４２が、折れ曲がった弾性下押さえ部材１８の先端部を通過すると、図５（ｃ）に示すように、この弾性下押さえ部材１８がその弾性により元の状態に戻り、後列のカタログ４１ｂの前端片４４を支持した状態となる。
【００４２】
上記最前列のカタログ４１ａの前端片４４を続けて引き出すと、最前列のカタログ４１ａの後端片４５が、後列のカタログ４１ｂの前端片４４の背面に差し込まれているため、最前列のカタログ４１ａの後端片４５とともに、後列のカタログ４１ｂの前端片４４が前方に移動する。
【００４３】
最前列のカタログ４１ａの後端片４５の上端部、すなわち山折り目４３が、前向きに折れ曲がった前記弾性上押さえ部材２７の支持部２８を通過すると、図５（ｄ）に示すように、この弾性上押さえ部材２７がその弾性により元の状態に戻り、後列のカタログ４１ｂの中央部４６を後向きに押さえる。
【００４４】
最後に、最前列のカタログ４１ａの後端片４５を、後列のカタログ４１ｂの前端片４４の背面から引き抜くことにより、最前列のカタログ４１ａのみを取り出すことができる。
【００４５】
以上のようにして、最前列のカタログ４１ａが取り出されると、後列のカタログ４１ｂの前端片４４が前記ケーシング１１の弾性下押さえ部材１８により支持された状態となり、この後列のカタログ４１ｂが、今度は最前列のカタログ４１ａとなる。
【図面の簡単な説明】
【００４６】
【図１】実施形態のカタログ陳列装置を示す斜視図
【図２】同上のカタログ陳列装置のカセットの分解斜視図
【図３】同上のカタログ陳列装置を示す断面図
【図４】（ａ）同上のカタログの展開状態を示す斜視図、（ｂ）同上のカタログの折り畳み状態を示す斜視図、（ｃ）同上のカタログ束を示す斜視図
【図５ａ】同上のカタログ陳列装置の使用前の状態を示す簡略図
【図５ｂ】同上のカタログ陳列装置の最前列のカタログを取り出す状態を示す簡略図
【図５ｃ】同上のカタログ陳列装置の最前列のカタログを取り出す状態を示す簡略図
【図５ｄ】同上のカタログ陳列装置の最前列のカタログを取り出す状態を示す簡略図
【図６】従来のカタログ陳列装置を示す斜視図
【符号の説明】
【００４７】
１１  ケーシング
１２  側面板
１３  上面板
１４  底面板
１５  カセット載せ板
１６  開口部
１７  ストッパー
１８  弾性下押さえ部材
１９  カセット収納部
２０  カセット
２１  側面板
２２  底面板
２３  前面板
２４  カタログ取り出し口
２５  上規制部
２６  下規制部
２７  弾性上押さえ部材
２８  支持部
２９  カタログ束収納部
３０  押し当て部材
３１  錘
３２  押し当て板
３３  掲示板
４０  カタログ束
４１  カタログ
４１ａ  最前列のカタログ
４１ｂ  後列のカタログ
４２  谷折り目
４３  山折り目
４４  前端片
４５  後端片
４６  中央部
５１  カタログ陳列装置
５２  背面板
５３  前面板
５４  開口部
５５  箱体
５６  支持脚
５７  カタログ収納部
【図１】
2007007275.tif 000003
【図２】
2007007275.tif 000004
【図３】
2007007275.tif 000005
【図４】
2007007275.tif 000006
【図５ａ】
2007007275.tif 000007
【図５ｂ】
2007007275.tif 000008
【図５ｃ】
2007007275.tif 000009
【図５ｄ】
2007007275.tif 000010
【図６】
2007007275.tif 000011